(57)【要約】【課題】本発明は、移動端末機の文字入力画面において、キー入力に応じてグラフィック的な要素を付加して、多様な文字効果を提供する。【解決手段】本発明は、移動端末機において、文字入力に対してビジュアル効果を与える文字入力方法であって、文字入力に対してビジュアル効果を与えるためのビジュアル文字テーマが選択されることで、移動端末機の入力窓に前記選択されたビジュアル文字テーマに従う背景を提供する第１のステップと、移動端末機において、文字出力に対する要請を受ける第２のステップと、選択されたビジュアル文字テーマに対応する視覚的な効果を入力文字に付加する第３のステップと、視覚的な効果が付加されたビジュアル文字を、提供された背景の上に出力する第４のステップとを含む。【選択図】図５
2011034574.tif 000002
【特許請求の範囲】
【請求項１】
移動端末機における文字表示方法であって、
文字入力モードで予め格納された文字テーマの背景イメージを表示する過程と、
文字入力のためのキー入力があるか否かを判断する過程と、
前記キー入力に割り当てられた文字に対する軌跡情報を確認する過程と、
前記背景イメージ上に前記軌跡情報に沿って書かれる文字を表示する過程と、を含むことを特徴とする移動端末機における文字表示方法。
【請求項２】
前記文字テーマに対応して格納されたアニメイティッド筆記手段アイコンがあるか否かを判断する過程と、
判断結果、前記アニメイティッド筆記手段アイコンがあれば、前記文字を表示する時、前記軌跡情報に沿って共に動く前記アニメイティッド筆記手段アイコンを表示する過程と、をさらに含むことを特徴とする請求項１に記載の移動端末機における文字表示方法。
【請求項３】
前記文字を表示する時、前記文字の下または背景イメージ全体に予め設定された文字入力効果を出力する過程をさらに含むことを特徴とする請求項１に記載の移動端末機における文字表示方法。
【請求項４】
前記文字入力のためのキー入力がさらにある場合、前記表示される文字に続いて追加で入力されるキー入力に割り当てられた文字を表示する過程をさらに含むことを特徴とする請求項１に記載の移動端末機における文字表示方法。
【請求項５】
前記文字入力のためのキー入力がさらにある場合、表示可能な文字数を超過するか否かを判断する過程と、
前記表示可能な文字数を超過する場合、前記表示された文字のサイズを縮めて表示する過程と、をさらに含むことを特徴とする請求項４に記載の移動端末機における文字表示方法。
【請求項６】
前記文字入力のためのキー入力がある毎に、前記キー入力に割り当てられた文字イメージを確認する過程と、
前記背景イメージ上に前記文字イメージを一つずつ続いて表示する過程と、をさらに含むことを特徴とする請求項１に記載の移動端末機における文字表示方法。
【請求項７】
前記予め格納された文字テーマがインクペンテーマである場合、前記背景イメージは手紙イメージであり、前記アニメイティッド筆記手段アイコンはインクペン形態のアイコンであることを特徴とする請求項２に記載の移動端末機における文字表示方法。
【請求項８】
前記予め格納された文字テーマがポスト−イットテーマである場合、前記文字イメージはポスト−イット形態のイメージであることを特徴とする請求項６に記載の移動端末機における文字表示方法。
【請求項９】
文字入力のための移動端末機であって、
複数の文字テーマの中一つを基本文字テーマとして格納し、前記文字テーマ別に各キーに割り当てられた軌跡情報または各キーに割り当てられた文字イメージを格納するメモリと、
文字入力のためのキー入力がある場合、前記基本文字テーマを確認し、前記確認された基本文字テーマに対応して前記キー入力に割り当てられた文字に対する軌跡情報または文字イメージを確認し、前記背景イメージ上に前記確認された軌跡情報に沿って書かれる文字または前記確認された文字イメージが表示されるように制御する制御部と、
前記背景イメージ上に前記確認された軌跡情報に沿って書かれる文字または前記確認された文字イメージを表示する表示部と、を含むことを特徴とする文字入力のための移動端末機。
【請求項１０】
前記制御部は、
前記文字テーマに対応して格納されたアニメイティッド筆記手段アイコンがあるか否かを判断し、判断結果、前記アニメイティッド筆記手段アイコンがあれば、前記文字を表示する時、前記軌跡情報に沿って共に動く前記アニメイティッド筆記手段アイコンも表示することを特徴とする請求項９に記載の文字入力のための移動端末機。
【請求項１１】
前記制御部は、
前記文字を表示する時、前記文字の下または背景イメージ全体に予め設定された文字入力効果を出力するように制御することを特徴とする請求項９に記載の文字入力のための移動端末機。
【請求項１２】
前記制御部は、
前記文字入力のためのキー入力がさらにある場合、前記表示される文字に続いて追加で入力されるキー入力に割り当てられた文字を表示するように制御することを特徴とする請求項９に記載の文字入力のための移動端末機。
【請求項１３】
前記制御部は、
前記文字入力のためのキー入力がさらにある場合、表示可能な文字数を超過するか否かを判断し、前記表示可能な文字数を超過する場合、前記表示された文字のサイズを縮めて表示するように制御することを特徴とする請求項９に記載の文字入力のための移動端末機。
【請求項１４】
前記基本文字テーマがインクペンテーマである場合、前記背景イメージは手紙イメージであり、前記アニメイティッド筆記手段アイコンはインクペン形態のアイコンであることを特徴とする請求項１０に記載の文字入力のための移動端末機。
【請求項１５】
前記基本文字テーマがポスト−イットテーマである場合、前記文字イメージはポスト−イット形態のイメージであることを特徴とする請求項９に記載の文字入力のための移動端末機。
【発明の詳細な説明】
【技術分野】
【０００１】
本発明は移動端末機に関し、特に、文字入力時に、画面に表示される文字に多様な効果を与える文字入力方法及びこのための移動端末機に関する。
【背景技術】
【０００２】
最近、移動端末機の幅広い普及に伴い、ユーザーに固有の電話通話機能の以外に、多様な使用上の便宜が提供されている。さらに、多様なサービス及び付加機能の拡大に伴い、移動端末機の画面が大きくなり、且つ、カラー数も増加しつつある。そして、ユーザーのニーズや欲求を満足させるために、移動端末機の画面空間を効率良く利用し、多様に活用する必要性が高まっている。また、このような活用は、ユーザーのニーズや欲求を満足させると共に、ユーザーの便宜も図られるべきである。しかしながら、現在の移動端末機は、ダウンロードサービスを介してユーザーの所望のサウンドや画面が提供できるにも関わらず、呼び出し番号の入力や短文メッセージの作成などでは、同一のフォント及び同一のフォントサイズが使用されている。
【０００３】
例えば、移動端末機は、ダイヤリング時に、ユーザーによるキーの押下に従い、図１の（ａ）のように、単一のフォントを有する数字が表示され、そのフォントサイズは基本サイズ又は拡大サイズを有する。ダイヤリングのためのキーの押下が継続されると、図１の（ｂ）のように、一時的に入力された番号が画面一杯に表示され、このような状態でキーの押下が継続されると、図１の（ｃ）のように、小さなフォントサイズに変換されて入力番号が表示される。その後、移動端末機は、ユーザーにより通話接続キーが入力されると、図１の（ｄ）のように、入力された呼び出し番号に通話接続を実行する画面が表示される。
【０００４】
以下、ダイヤリング画面についてより具体的に説明するために、従来のダイヤリング画面の階層構造に関する一実施形態の構造図である、図２を参照する。
図２に示すように、従来のダイヤリング画面は、単一のカラーからなる単一の背景を提供するバックグラウンド階層１０と、キーの押下に従うキー入力データが表示される文字入力階層２０と、記号や絵を介してキーの押下に従う現在の動作状態を通知するアイコン階層３０とからなる。すなわち、アイコン階層３０は、通話状態を示す電話機やサウンド設定項目を示すスピーカーなどの多様なアイコンを表示することができる。
【０００５】
これにより、従来の移動端末機は、ダイヤリングのために、ユーザーから入力されたキー入力データを表示する時に、所定のフォントとフォントサイズを有する単純なキー入力データを表示する。すなわち、上記のような文字表示方法において、移動端末機は、ユーザーがフォントのサイズ及びカラーのみを指定できるようにし、多様に表示方法を設定することは不可能である。
【０００６】
前述したように、従来の移動端末機は、ユーザーの設定に従って文字を入力する際に、フォントとフォントサイズのみを変化させて表示する。このような方法は、移動端末機がマルチメディア映像のようなグラフィックを提供できるにも関わらず、フォントが画一化して単調になり、移動端末機が備えた多様なカラー数及び拡大された画面の活用において、その効率性が低減する。
【発明の概要】
【発明が解決しようとする課題】
【０００７】
よって、本発明の目的は、移動端末機を自己表現の道具として思うユーザーに、自身だけの個性を充足させるために、文字入力に対してビジュアル効果を与える文字入力方法及びこのための移動端末機を提供することにある。
【０００８】
また、本発明の目的は、移動端末機が備えた多様なカラー数及び拡大された画面を効率良く利用するために、文字入力時の画面を多様化できる、文字入力に対してビジュアル効果を与える文字入力方法及びこのための移動端末機を提供することにある。
【課題を解決するための手段】
【０００９】
前記目的を達成するために、本発明は、移動端末機における文字表示方法であって、文字入力モードで予め格納された文字テーマの背景イメージを表示する過程と、文字入力のためのキー入力があるか否かを判断する過程と、前記キー入力に割り当てられた文字に対する軌跡情報を確認する過程と、前記背景イメージ上に前記軌跡情報に沿って書かれる文字を表示する過程と、を含むことを特徴とする。
【００１０】
また、本発明は、文字入力のための移動端末機であって、複数の文字テーマの中一つを基本文字テーマとして格納し、前記文字テーマ別に各キーに割り当てられた軌跡情報または各キーに割り当てられた文字イメージを格納するメモリと、文字入力のためのキー入力がある場合、前記基本文字テーマを確認し、前記確認された基本文字テーマに対応して前記キー入力に割り当てられた文字に対する軌跡情報または文字イメージを確認し、前記背景イメージ上に前記確認された軌跡情報に沿って書かれる文字または前記確認された文字イメージが表示されるように制御する制御部と、前記背景イメージ上に前記確認された軌跡情報に沿って書かれる文字または前記確認された文字イメージを表示する表示部と、を含むことを特徴とする。
【発明の効果】
【００１１】
本発明によれば、文字入力効果階層を提供して、それに従う文字入力効果を提供する方法を提示することで、移動端末機のユーザーインターフェースにエンターテイメント的な要素を付加できる。
【００１２】
本発明によれば、ビジュアル文字効果に対するユーザーの設定及び変更が自由になることで、効果資料の提供に係る産業の発展を図ることができる。
【図面の簡単な説明】
【００１３】
【図１】一般の移動端末機のダイヤリング画面を示す例示図である。
【図２】従来のダイヤリング画面に対する階層構造を示す図である。
【図３】本発明が適用された移動端末機を示す構成図である。
【図４】本発明によって移動端末機における文字入力画面に対する階層構造を示す図である。
【図５】本発明の実施形態による移動端末機におけるビジュアル文字効果に対する例示図である。
【図６】本発明の実施形態によってビジュアル文字テーマを設定するための制御フローチャートである。
【図７】本発明の実施形態によって文字入力画面に対する階層構造を介して文字入力効果を提供する過程を示す図である。
【図８】本発明の実施形態によって文字入力効果を提供するための方法を示す動作フローチャートである。
【図９】本発明の実施形態によって文字入力効果を示す例示図である。
【発明を実施するための形態】
【００１４】
以下、添付図面に基づき、本発明の好適な実施形態について詳細に説明する。 図面において、同一の構成要素に対しては同じ符号を使用したことを留意すべきである。また、本発明の説明において、本発明に関連した公知の機能や構成についての具体的な説明が、本発明の要旨を不明瞭にすると判断される場合には、その詳細な説明を省略する。
【００１５】
本発明は、移動端末機の文字入力画面において、キー入力に応じてグラフィック的な要素を付加して多様な文字効果を提供する。このために、本発明は、文字入力モードへ進入する際に、ユーザーより既に設定されたビジュアル文字テーマを表示し、キー入力に応じてそのテーマに合う文字入力効果を出力する。よって、移動端末機は、予めユーザーが所望のビジュアル文字テーマを選択できるようにすることで、キー入力時にビジュアルな文字入力効果を与えることができるため、移動端末機のユーザーインターフェースにエンターテイメント的な要素を付加できる。
【００１６】
上記の機能が具現された移動端末機の構成要素及び動作を、図３を参照して説明する。図３は、本発明が適用された移動端末機に対する一実施形態の構成図である。以下では、英字、ハングル、数字及び特殊文字などの画面に表示可能な記号を総称して文字とする。
【００１７】
図３によれば、本発明が適用された移動端末機は、制御部１００と、キー入力部１１０と、表示部１２０と、メモリ１３０と、無線部１４０と、音声処理部１５０とからなる。
【００１８】
ここで、制御部１００は、移動端末機の全般的な制御動作を行い、特に、本発明の文字入力に従う効果を表示部１２０を介して出力するように制御する。このとき、文字入力に従う効果は、既に設定されたビジュアル文字テーマによって異に出力され、効果音を含んだテーマである場合に、制御部１００は、表示部１２０を介して文字入力効果を表示すると共に、音声処理部１５０を制御して文字入力に従う効果音をスピーカーを介して出力する。
【００１９】
前述したように、制御部１００は、入力窓を介した文字入力により文字出力が要求された場合に、既に格納されたビジュアル文字テーマに対応する視覚的な効果を入力する文字に付加した後、その視覚的な効果が付加されたビジュアル文字をビジュアル文字テーマに従って提供される背景の上に出力する。例えば、ユーザーが呼び出し番号を入力する呼び出しモードやメッセージを作成するためのメッセージ作成モードなど、全ての文字入力モードに対して文字入力効果を出力することが可能である。
【００２０】
また、制御部１００は、ＳＭＳ(Ｓｈｏｒｔ Ｍｅｓｓａｇｅ Ｓｅｒｖｉｃｅ)やＭＭＳ(Ｍｕｌｔｉｍｅｄｉａ Ｍｅｓｓａｇｅ Ｓｅｒｖｉｃｅ)によって転送された文字の出力が要求される場合にも、前記のような視覚的な効果が与えられたビジュアル文字の出力が可能である。このとき、相手方の端末機からＳＭＳやＭＭＳによって転送されるメッセージは、制御部１００内に具現されたそれぞれのメッセージ処理制御部、例えば、ＳＭＳ文字処理部及びＭＭＳ文字処理部で処理可能である。このような場合を例として説明すれば、メッセージ受信時に、相手方の端末機で作成されたビジュアル文字テーマに従うメッセージを表示するために、該メッセージ処理制御部はそのメッセージに該当するビジュアル文字テーマがあるか否かを判別する。その結果、該ビジュアル文字テーマがある場合は、その文字メッセージ出力時にそのビジュアル文字テーマの背景の上に視覚的な効果が付加されたビジュアル文字を表示する。このように、本発明の実施形態によれば、ビジュアル文字テーマに従う視覚的な効果が与えられたビジュアル文字の出力は、文字入力モードの以外にも、文字出力が必要な全ての場合にいつでも適用可能であるのが好ましい。
【００２１】
そして、キー入力部１１０は、ユーザーとインターフェースするための装置として、機能キー、数字(０〜９)キー、特殊キー(*、#)などを含む各種キーを備え、ユーザーにより入力されるキー入力データを制御部１００に提供する。すなわち、キー入力部１１０は、具備された各キーの入力に応じて固有のキー入力データを出力し、キー入力部１１０から出力されるキー入力データは、制御部１００に印加されて、これがどのようなキー入力に従うキー入力データであるかが検出され、その結果に従って制御部１００は該動作を行う。
【００２２】
表示部１２０は、制御部１００の制御下で、キー入力部１１０から入力されたキー入力データに対する表示データを入力されて表示したり、移動端末機の動作状態及び複数の情報をアイコン及び文字を介して表示したりする。そして、表示部１２０は、制御部１００の制御下で、ユーザーによって必要な機能を設定するか駆動する際に、その状態を可視的に分かるようにする。また、本発明が適用された表示部１２０は、文字入力モードにおいてユーザーにより入力される文字に視覚的な効果が与えられたビジュアル文字効果を表示する。
【００２３】
メモリ１３０は、複数のプログラムとデータを格納するためのＲＯＭやＲＡＭなどからなるが、特に、本発明の実施形態によってビジュアル文字テーマに従う各階層別表示項目に対するデータなどを格納する。また、メモリ１３０は、複数のビジュアル文字テーマを格納し、ユーザーにより設定されたビジュアル文字テーマを基本ビジュアル文字テーマとして格納する。
【００２４】
無線部１４０は、制御部１００と連結しており、音声データ及び制御データを無線信号に変換して送信し、無線信号を受信して音声データ及び制御データに変換して出力する。
【００２５】
音声処理部１５０は、制御部１００と連結しており、制御部１００からの音声データをスピーカーを介して可聴音に変換出力し、マイクロホンから受信される音声信号をデータ化して制御部１００に伝達する。また、本発明が適用された音声処理部１５０は、文字入力時に、画面に文字入力効果が出力される毎に該ビジュアル文字テーマに従う効果音を出力する。例えば、ビジュアル文字テーマが“鋼”であれば、背景画面に鋼板が表示され、キー入力時にキー入力に従う文字をその鋼板上に彫られるように表示され、スピーカーを介して槌打ちのような効果音が出力される。
【００２６】
このように構成された移動端末機において、文字入力に従って所定の文字入力効果を出力する画面に対する階層構造を後述する。このために、本発明によって移動端末機における文字入力画面に対する階層構造を示す構造図である、図４を参照する。
【００２７】
図４に示すように、本発明による移動端末機における文字入力画面は、ビジュアル文字テーマに従う背景を提供するバックグラウンド階層２００と、単純なフォント変更ではない入力された文字自体に視覚的な効果を与えて表示する文字入力階層２２０とを含む階層構造に、現在入力される文字に視覚的な楽しみを与えるために、入力される文字が表示されるバックグラウンド又は画面全体に対して予め設定された特定の視覚的な効果を与える文字効果階層２１０と、文字入力時の多様な入力手段のイメージを表示するアイコン階層２３０とをさらに含んで構成される。このとき、視覚的な効果は、バックグラウンド階層２００により提供するビジュアル文字テーマの背景に、入力される文字と文字効果が視覚的に区別可能であるように重畳されて提供されることを原則とする。また、ビジュアル文字テーマの背景には、文字及び文字効果と共にアイコン階層２３０により提供する入力手段を示すアイコンが重畳されて表示される。
【００２８】
具体的に、バックグラウンド階層２００では、ビジュアル文字テーマに従う背景を端末機の画面全体に表示する。そして、文字効果階層２１０では、現在のカーソルや文字が表示されている位置に対して、波効果や花火効果などの多様な効果を与えて状態表示を行う。例えば、ビジュアル文字テーマに従う背景が湖の場合、バックグラウンド階層２００を介した湖の背景の上に、文字入力階層２２０を介した文字が表示されると、文字効果階層２１０を介しては現在のカーソル、入力文字の下、或いは画面全体に対し、小波が立つような効果を与えることができる。これにより、水の上に立体的に文字が表示されると共に、文字入力によって小波が立つような効果を与えることができる。
【００２９】
そして、それぞれのキー入力に応じて表示される文字に視覚的な効果を与えるために、文字入力階層２２０では、インクペンフォント、電球フォント、ポスト−イット(登録商標、以下同じ)フォント、トゥインクル(ｔｗｉｎｋｌｅ)フォント等の多様なフォントとグラフィック要素を用いて該文字を表示する。また、アイコン階層２３０は、ビジュアル文字テーマに従う背景に重畳して視覚的な文字 、例えば、手紙イメージにインクペンフォントが表示される場合に、入力手段イメージとしてインクペンイメージを表示する。例えば、視覚的な効果が与えられた文字を表示する際に、アイコン階層２３０は、まるでユーザーの代りに書くよう感じられるように、入力手段を示すイメージが字画の軌跡に沿って動きながら表示される。これにより、字画の軌跡に沿って文字が書かれる間は入力手段を示すイメージも字画に沿って動き、一つの文字が完成された場合は入力手段を示すイメージが字画の終了地点に位置することになる。また、付加的なスクラッチングサウンド(ｓｃｒａｔｃｈｉｎｇ ｓｏｕｎｄ)、例えば、クイル(ｑｕｉｌｌ)で紙をスクラッチングするようなサウンドが、文字が書かれる間スピーカーを介して出力される。
【００３０】
このように、文字入力画面は、図５に示すようにユーザーに提供されるが、ユーザーの文字入力に従って各ビジュアル文字テーマに対応する文字入力効果が表示される。本発明の実施形態によるビジュアル文字テーマには、図５の（ａ）のインクペンテーマ、図５の（ｂ）の電光板テーマ、図５の（ｃ）のトゥインクルテーマ、図５の（ｄ）のポスト−イットテーマ、図５の（ｅ）の鋼テーマ、以外にも黒板テーマなどの多様な文字入力効果が与えられるテーマがあり得る。つまり、図５では、インクペン、電光板、トゥインクル、ポスト−イット、鋼などのテーマを例示しているが、本発明はこれに限るものではない。すなわち、ユーザー、サービス提供者或いは端末機製造業者などの選択に応じて、多様な文字入力効果が与えられたビジュアル文字テーマを提供することが可能である。また、本発明による文字入力効果は、ユーザーが作ったり、コンテンツ提供業者がコンテンツの一種として提供してユーザーの選択に応じて変更することが可能である。
【００３１】
一方、本発明による文字入力階層２２０に視覚的な効果が与えられた文字を表示する方式は、多様に表現することができるが、本発明の実施形態では３種類の方式を提示する。
【００３２】
第一の方式は、アニメイティッド(Ａｎｉｍａｔｅｄ)ペン入力方式であって、キー入力時に、まるでユーザーの代りにペンで文字を書くように字画の軌跡に沿って書かれ、アニメーション効果をキー入力に与えて入力するものである。それぞれの入力文字に対するアニメイティッドペン入力データを端末機に格納し、該ビジュアル文字テーマの設定後に、入力窓に該文字が入力されると、それに対応するアニメイティッドペン入力データを呼び出して入力させる。これは、それぞれの入力文字に対するデータを格納して出力する方式として例示しているが、アニメイディッドペンを効果として提案し、入力文字に対する軌跡情報を該アニメイティッドペン効果に付加することで、該アニメイティッドペンが軌跡に沿って動くように設定することも可能である。このようなアニメイティッドペン効果を用いる場合は、単純な数字キーなどの入力だけでなく、タッチスクリーンや別途の入力窓を介して入力される絵などの自由度の大きい文字入力にも活用することが可能である。
【００３３】
こうしたアニメイティッドペン入力方式をより詳細に説明するために、ビジュアル文字テーマがインクペンテーマである場合を示す図５の（ａ）を参照して説明する。この方式は、それぞれのキー毎に該文字に対する軌跡を予め割り当てる。例えば、ダイヤリングするために数字キーが入力される場合に、端末機の制御部１００は、入力された数字キーに応じて予め割り当てられた数字の軌跡を認知した後、その軌跡に沿って字画が書かれる。仮りに、数字の以外の文字が入力される場合にも、同様に文字軌跡に沿って字画が書かれながら画面に表示される。図５の（ａ）のインクペンテーマの他に、図５の（ｂ）の電光板テーマの場合には、文字キーが入力されると、電光板の背景の上に文字キーに対応する文字の軌跡に沿って電球が発光するように文字が表示される。また、図５の（ｃ）のトゥインクルテーマの場合にも、文字キーが入力されると、宇宙の背景の上に文字キーに対応する軌跡に沿って星の光のような閃光が順次現れるように文字が表示される。
【００３４】
第二の方式は、コラージュ(Ｃｏｌｌａｇｅ)方式であって、キー入力時に、キー入力に応じて所定の文字イメージをロードして表示するものである。例えば、ポスト−イットテーマを示す図５の（ｄ）を参照すれば、数字キーの押下によってその数字キーに対応するポスト−イットのような数字イメージがロードされて該数字イメージが表示される。すなわち、コルク壁面にポスト−イットが付着されるよう、キーの押下によって該文字イメージが一つずつロードされて表示される。
【００３５】
第三の方式は、リリーフ(Ｒｅｌｉｅｆ)方式であって、キー入力時に、まるで文字を浮き彫りや沈み彫りで彫るように表示するものである。例えば、鋼テーマを示す図５の（ｅ）を参照すれば、数字キーの押下によってその数字キー毎に割り当てられた数字が鋼板に彫られるように表示される。このように、各ビジュアル文字テーマに従う効果の内容に対しては、多様に提供することが可能である。
【００３６】
以下では、前述したように多様な方式により表示されるビジュアル文字テーマの設定過程を説明する。このために、本発明の実施形態によってビジュアル文字テーマを設定するための制御フローチャートである図６を参照する。
【００３７】
図６によれば、制御部１００は、段階Ｓ６００において、ユーザーからビジュアル文字テーマの変更要請があるか否かを判別する。このような要請は、ユーザーがメインメニューのうちでビジュアル文字テーマ変更メニューの選択によってなされる。段階Ｓ６００において、ビジュアル文字テーマの変更要請がある場合に、制御部１００は、段階Ｓ６１０において基本ビジュアルテーマを表示する。続いて、制御部１００は、段階Ｓ６２０において左又は右の方向キーが入力されたか否かを判別する。すなわち、ユーザーの便宜のために本発明の実施形態では方向キーを用いて他のビジュアルテーマを見ることができる。段階Ｓ６２０において、左又は右の方向キーが入力された場合に、制御部１００は、段階Ｓ６３０においてキー入力に応じて左又は右の方向にビジュアル文字テーマをローテーションして表示する。その後、制御部１００は、段階Ｓ６４０においてユーザーにより複数のビジュアル文字テーマの何れか一つが選択されたか否かを判別する。段階Ｓ６４０において何れか一つのビジュアル文字テーマが選択された場合に、制御部１００は、段階Ｓ６５０において選択されたビジュアル文字テーマを基本ビジュアルテーマとして格納する。これにより、ユーザーは所望のビジュアル文字テーマを用いることが可能である。
【００３８】
以下、前述したように、設定されたビジュアル文字テーマの実行過程を、図７を参照して説明する。図７は、本発明の実施形態によって文字入力画面に対する階層構造を介して文字入力効果を提供する過程を示す図である。
【００３９】
まず、制御部１００は、段階Ｓ７００においてユーザーにより文字入力モードが選択されると、段階Ｓ７１０において所定の基本ビジュアル文字テーマをロードして入力窓を設定する。すなわち、制御部１００は、入力窓にバックグラウンド階層２００を介して基本ビジュアル文字テーマに従う背景を表示する。このとき、基本ビジュアル文字テーマが代筆方式からなるテーマである場合、その背景の上にアイコン階層２３０を介して出力される入力手段イメージ、すなわち、該アニメイティッドペンが共に表示される。続いて、制御部１００は、段階Ｓ７２０において文字キーの入力があるか否かを判別する。ここで、文字キーは、数字、英字、ハングル及び特殊文字などの画面に表示可能な全ての記号を入力できるキーとする。
【００４０】
段階Ｓ７２０において、文字キーの入力がある場合に、制御部１００は、段階Ｓ７３０においてキー入力に応じて基本ビジュアル文字テーマに従う文字入力効果を出力する。より詳細に説明すれば、キー入力部１１０でユーザーによるキーの押下を感知してキー入力データを制御部１００に伝達すれば、制御部１００はキー入力データによってビジュアル文字テーマに対応する視覚的な効果を入力文字に付加する。その後、制御部１００は、その視覚的な効果が付加されたビジュアル文字を、ビジュアル文字テーマによって提供される背景の上に出力する。続き、制御部１００は、段階Ｓ７４０において、所定の時間内に他のキー入力があるか否か、すなわち、文字キーの入力がさらにあるか否かを判別する。段階Ｓ７４０において、文字キーの入力がさらにある場合に、制御部１００は、段階Ｓ７３０に戻り、ビジュアル文字テーマに従う背景の上に表示されている文字に、入力されたビジュアル文字を重畳して表示する。
【００４１】
続いて、本発明が適用された具体例を詳細に説明するために、図８及び図９を参照する。図８は、本発明の一実施形態によって文字入力効果を提供するための方法を示すフローチャート、図９は、本発明の実施形態によって文字入力効果を示す例示図である。以下では、図８及び図９を例示して説明しているが、本発明による文字入力効果の提供方法はこれに限るものではない。
【００４２】
図４のように提供される階層構造において、制御部１００は、段階Ｓ８００においてユーザーによる呼び出しモードが選択されると、段階Ｓ８０５において格納されたビジュアル文字テーマとして入力窓を設定する。すなわち、バックグラウンド階層２００による基本ビジュアル文字テーマの背景を出力する。このとき、基本ビジュアル文字テーマが電球テーマである場合は、バックグラウンド階層２００を介して電光板の背景が表示される。続いて、制御部１００は、段階Ｓ８１０においてダイヤリングするためのキー入力があるか否かを判別する。段階Ｓ８１０において、キー入力がある場合に、制御部１００は、段階Ｓ８１５においてキー入力に応じて背景の上に所定の文字入力効果を出力する。例えば、図９の（ａ）のように、電球が発光するような効果を出力する。ここで、所定の効果は、電光板の背景に表示される電球が文字の軌跡に沿って順次発光することができ、一度に電球に点灯することもできる。
【００４３】
続いて、制御部１００は、段階Ｓ８２０において所定の時間内に他のキーが入力されたか否かを判別する。段階Ｓ８２０において、他のキーが入力された場合に、段階Ｓ８２５において画面に表示可能な文字数を超過したか否かを判別する。段階Ｓ８２５において、画面に表示可能な文字数を超過しなかった場合に、制御部１００は、段階Ｓ８１５に戻り、画面に表示されている文字に続いて入力文字に対する効果を出力する。一方、制御部１００は、このような方式を繰返していって、画面に表示可能な文字数を超過した場合に、すなわち、図９の（ｂ）のように画面に文字が一杯になった場合に、制御部１００は、段階Ｓ８３０において図９の（ｄ）のように全体的に小さなフォントに切換した画面を出力する。このとき、画面の切換時に視覚的な楽しみを与えるために、図９の（ｃ）のように、電光板から一時的に閃光が表示されるズームアウト(Ｚｏｏｍ ｏｕｔ)画面を出力することもできる。
【００４４】
図９の（ｄ）のように、呼び出し番号が入力された状態において、制御部１００は、段階Ｓ８３５において呼び出し番号に通話接続キーの入力があるか否かを判別する。段階Ｓ８３５において、通話接続キーの入力がある場合に、制御部１００は、段階Ｓ８４０において、図９の（ｆ）のようにビジュアル文字テーマに従う呼び出し画面を表示する。このとき、呼び出し番号の入力画面から発信画面への切換時にも、図９の（ｅ）のようにズームアウト画面を出力することもできる。
【００４５】
なお、本発明の詳細な説明では具体的な実施形態について説明したが、本発明の要旨から逸脱しない範囲内で多様に変形できる。例えば、文字入力モードとメッセージ受信モードに限って動作するビジュアル文字効果を出力する場合を例として説明したが、本発明の他の実施形態では、ビジュアル文字が表示できる多様なモードで適用することが可能である。よって、本発明の範囲は、前述の実施形態に限るものではなく、特許請求の範囲の記載及びこれと均等なものに基づいて定められるべきである。
【符号の説明】
【００４６】
１００ 制御部
１１０ キー入力部
１２０ 表示部
１３０ メモリ
１４０ 無線部
１５０ 音声処理部
２００ バックグラウンド階層
２１０ 文字効果階層
２２０ 文字入力階層
２３０ アイコン階層
【図１】
2011034574.tif 000003
【図２】
2011034574.tif 000004
【図３】
2011034574.tif 000005
【図４】
2011034574.tif 000006
【図５】
2011034574.tif 000007
【図６】
2011034574.tif 000008
【図７】
2011034574.tif 000009
【図８】
2011034574.tif 000010
【図９】
2011034574.tif 000011